(57)【要約】【課題】専用点火装置または燃料噴射装置及び緊急起動に必要な補助蓄電装置の電気エネルギーを設置する。【解決手段】専用点火装置または燃料噴射装置と緊急起動に必要な補助蓄電装置の電気エネルギーを設置し、及び隔離用ダイオードと始動モータのバッテリー電源を設置することにより隔離し、エンジンを起動するときに、始動モータはより大きな電流が必要であるために、バッテリーの電圧が大幅に下降しても、点火装置または燃料噴射装置の電圧が突然に低下することを防ぐ。【選択図】図４
2011017337.tif 000002
【特許請求の範囲】
【請求項１】
一種の補助電源を持つ燃焼及び緊急起動制御システムであって、専用点火装置または燃料噴射装置と緊急起動に必要な補助蓄電装置の電気エネルギーを設置し、及び隔離用ダイオードと始動モータのバッテリー電源を設置することにより隔離し、エンジンを起動するときに、始動モータはより大きな電流が必要であるために、バッテリーの電圧が大幅に下降しても、点火装置または燃料噴射装置の電圧が突然に低下することを防ぐことにより、良好な点火状態を確保し、また始動電池の電力が不足するときは、補助スイッチ装置の操作を通して、補助蓄電装置の電気エネルギーにより、始動モータを駆動してからエンジンを起動し、システムにまた緊急起動スイッチ装置（５００）及び直流昇圧回路装置（６００）のうち少なくとも一方を設置することにより、始動電池の電力が不足するときは、緊急起動スイッチ装置の操作を通して、補助電池の電気エネルギーを駆動することにより、始動モータのエンジンを起動し、及び始動モータによりエンジンを起動するとき、直流昇圧回路装置（６００）の昇圧を通して、点火装置または燃料噴射装置を昇圧させ、その起動機能を強化すること、
を特徴とする補助電源を持つ燃焼及び緊急起動制御システム。
【請求項２】
専用のエンジン点火装置及び燃料噴射装置のうち少なくとも一方と緊急起動に必要な補助蓄電装置の電気エネルギーを設置し、隔離用ダイオードと始動モータのバッテリー電源を設置することにより隔離し、緊急起動スイッチ装置（５００）及び直流昇圧回路装置（６００）のうち少なくとも一方を設置すること、
を特徴とする燃焼及び緊急起動制御システムであって、
ディーゼル、バイオディーゼル、ガソリン、ガス、メタノール等を燃料とする内燃エンジンにより構成し、また始動モータ（１０１）を装着しているエンジンセット（１００）、
エンジンにより負荷を駆動する回転運動エネルギーを出力し、及び伝動装置（３０１）を通して始動モータ（１０１）とカップリングし、直接または伝動装置（３０２）を通して発電機セット（２００）とカップリングするエンジン回転軸（３００）、
直流または交流のブラシまたはブラシレスモータ、またはモータ機能を持つ発電機により構成され、モータを通して継電器（１０２）の制御を起動することにより、バッテリーの電気エネルギーを制御して、始動モータ（１０１）を駆動し、直接または伝動装置（３０１）を通してエンジンセット（１００）を動かす始動モータ（１０１）、
電気機械スイッチユニットまたは固体電子スイッチユニットにより構成され、始動電池（１０４）が点火装置または点火装置及び燃料噴射装置（１１０）のうち少なくとも一方を制御し、当該制御と共に又は当該制御に代えて、モータを制御して継電器（１０２）の給電を起動し、または直接始動モータ（１０１）の給電を制御し、当該制御と共に又は当該制御に代えて、その他付属電器装置により給電する起動スイッチ（１０３）、
各種の充放電可能な二次電池またはスパーキャパシタにより構成され、始動モータ（１０１）の電気エネルギーを提供し、及び発電機（２００）により発電用電気エネルギーまたは外部の電気エネルギーにより充電される始動電池（１０４）、
ダイオードにより構成され、始動電池（１０４）と第一充放電可能な補助蓄電装置（１０６）の間に設置され、単方向導通を呈し、始動電池（１０４）の電流が第一充放電可能な補助蓄電装置（１０６）に対して充電し、また隔離用ダイオード（１０５）を通して、始動電池（１０４）の逆流放電を防ぐ隔離用ダイオード（１０５）、
各種の充放電可能な電池またはスパーキャパシタにより構成され、始動電池（１０４）または付属発電機（２００）またはその他充電装置の電気エネルギーを貯蔵する第一充放電可能な補助蓄電装置（１０６）、
充放電可能な二次電池またはスパーキャパシタにより構成され、第一充放電可能な補助蓄電装置（１０６）の電気エネルギーを貯蔵し、エンジンが点火するとき、即時にエンジン点火装置（１０９）に対して電気エネルギーを提供する第二充放電可能な補助蓄電装置（１０７）、
第一充放電可能な補助蓄電装置（１０６）と第二充放電可能な補助蓄電装置（１０７）の間に、第一充放電可能な補助蓄電装置（１０６）が第二充放電可能な補助蓄電装置（１０７）の電流方向に対して隔離用ダイオード（１０８）を直列に接続することにより、緊急時、緊急起動スイッチ装置（５００）を制御し、かつ第一充放電可能な補助蓄電装置（１０６）を緊急始動モータの電源とするとき、第二充放電可能な補助蓄電装置（１０７）が第一充放電可能な補助蓄電装置（１０６）に対して逆流放電を避ける隔離用ダイオード（１０８）、
交流または直流発電機により構成され、エンジンにより直接または伝動装置（３０２）を通して動かし、相対する交流電気エネルギーを形成し、または整流された直流を出力し、または直接直流の電気エネルギーを形成して出力する、発電機（２００）及び調節装置（２０１）の少なくとも一方が直流発電機であって、かつ逆流電流の防止機能を持たないとき、発電機の発電巻線により調節装置（２０１）を通して始動電池（１０４）の充電電流の方向及び順方向にダイオード（１０５１）を一連設置することにより隔離し、もし発電機（２００）が逆流電流の防止機能を持っている場合、ダイオード（１０５１）を設置しなくてよい発電機（２００）：、
電気機械式または固体電子回路装置により構成される、発電機（２００）が直流発電機であるとき、直接に直流電気エネルギーを調節することにより、別々に始動電池（１０４）、第一充放電可能な補助蓄電装置（１０６）及び第二充放電可能な補助蓄電装置（１０７）のうちの少なくとも一つに対して充電し、当該充電と共に又は当該充電に代えて、その他負荷に対して給電し、かつ発電機（２００）が交流発電機であるとき、まず交流電気エネルギーを直流電気エネルギーに整流してから、再び調節装置（２０１）を通して、始動電池（１０４）、第一充放電可能な補助蓄電装置（１０６）及び第二充放電可能な補助蓄電装置（１０７）のうち少なくとも一つに対して充電し、当該充電と共に又は当該充電に代えて、その他負荷に対して給電する調節装置（２０１）、
電気機械回路ユニットまたは固体電子回路ユニットにより構成され、または二者の混合により構成する点火装置によって構成されることにより、内燃エンジンを点火させることより、エンジンを作動するエンジン点火装置（１０９）、
燃料噴射巾のスロットル機能を制御できる燃料噴射装置及びスロットルポジション、オイル温度、インテークエア温度、酸素含有度のクランク軸信号（ＩＰ−ＡＲＢ）等の信号を参考することを含み、燃料噴射機構装置を制御するコントロール回路装置により構成される燃料噴射装置（１１０）、を含み、
上述のエンジン点火装置（１０９）及び燃料噴射装置（１１０）の中の一つを設置し、または両者を同時に設置することができ、
緊急起動スイッチ装置（５００）及び直流昇圧回路装置（６００）の両者またはその中の一つを設置し、
三端子固体電子スイッチ装置または機械スイッチ装置により構成され、その共同Ｃ端はモータへ通じ、継電器（１０２）及びスイッチ（１０３）の電源正端を起動し、その常に閉合するＡ端は始動電池（１０４）の正端へ通じ、常に開放し、緊急起動時、閉合するＢ端は第一充放電可能な補助蓄電装置（１０６）の正端へ通じるように切換え、また始動電池の電力が不足するときは、補助スイッチ装置の操作を通して、補助電池の電気エネルギーにより、始動モータを駆動してからエンジンを起動する緊急起動スイッチ装置（５００）、
固体電子回路ユニット及び電気機械式回路ユニットにより構成され、第二充放電可能な補助蓄電装置（１０７）の電源とエンジン点火装置（１０９）及び燃料噴射装置（１１０）の電源の間に設置することにより、継電器（１０２）またはモータ通電時の信号を通して、直流昇圧回路装置（６００）を起動することにより、電圧を上げ、エンジン点火装置（１０９）または燃料噴射装置（１１０）をブースター（Ｂｏｏｓｔｅｒ）状態にすることにより、エンジン始動に役立つ、直流昇圧回路装置（６００）の電源入力端及び同極性の電圧が比較的高い出力端の間に、ダイオード（１０５３）を並列に接続することにより、直流昇圧回路装置（６００）が作動を停止するとき、電気エネルギーは電源端から、ダイオード（１０５３）を通して、エンジン点火装置（１０９）及び燃料噴射装置（１１０）へ輸送することができる直流昇圧回路装置（６００）、を含むこと、
を特徴とする請求項１に記載の補助電源を持つ燃焼及び緊急起動制御システム。
【請求項３】
その中のエンジン点火装置（１０９）、燃料噴射装置（１１０）、始動電池（１０４）、隔離用ダイオード（１０５）、第一充放電可能な補助蓄電装置（１０６）、隔離用ダイオード（１０８）、第二充放電可能な補助蓄電装置（１０７）、緊急起動スイッチ装置（５００）、発電機（２００）、調節装置（２０１）、直流昇圧回路装置（６００）を分離して設置するができ、またはその中の少なくとも二項目または二項目以上により同一構造とすることができること、
を特徴とする請求項２に記載の補助電源を持つ燃焼及び緊急起動制御システム。
【請求項４】
その第二充放電可能な補助蓄電装置（１０７）及び隔離用ダイオード（１０８）を設置せずに、かつ始動電池（１０４）と第一充放電可能な補助蓄電装置（１０６）の間に順方向に隔離用ダイオード（１０５）を一連設置し、かつ単方向導通により、始動電池（１０４）が第一充放電可能な補助蓄電装置（１０６）の充電電気エネルギーを限制し、また第一充放電可能な補助蓄電装置（１０６）によりエンジン点火装置（１０９）または燃料噴射装置（１１０）に必要な電気エネルギーを提供し、また始動電池（１０４）の電力が不足するときは、緊急起動スイッチ装置（５００）の操作を通して、第一充放電可能な補助蓄電装置（１０６）の電気エネルギーにより始動モータを駆動してエンジンを起動する、
及び緊急起動スイッチ装置（５００）及び直流昇圧回路装置（６００）の両者またはその中の一つを設置し、三端子固体電子スイッチ装置または機械スイッチ装置により構成され、その共同Ｃ端はモータへ通じ、継電器（１０２）及びスイッチ（１０３）の電源正端を起動し、その常に閉合するＡ端は始動電池（１０４）の正端へ通じ、常に開放し、緊急起動時、閉合するＢ端は第一充放電可能な補助蓄電装置（１０６）の正端へ通じるように切換え、また始動電池の電力が不足するときは、補助スイッチ装置の操作を通して、補助電池の電気エネルギーにより、始動モータを駆動してからエンジンを起動する緊急起動スイッチ装置（５００）、
固体電子回路ユニット及び電気機械式回路ユニットにより構成され、第二充放電可能な補助蓄電装置（１０７）電源の正端とエンジン点火装置（１０９）及び燃料噴射装置（１１０）の電源の間に設置することにより、継電器（１０２）通電時の信号により、直流昇圧回路装置（６００）を起動することを通して、エンジン点火装置（１０９）または燃料噴射装置（１１０）をブースター（Ｂｏｏｓｔｅｒ）状態にすることにより、エンジンを始動させる、本項の直流昇圧回路装置（６００）の電源入力端及び同極性の電圧が比較的高い出力端の間に、ダイオード（１０５３）を並列に接続することにより、直流昇圧回路装置（６００）が作動しないとき、電気エネルギーは電源端から、ダイオード（１０５３）を通して、エンジン点火装置（１０９）及び燃料噴射装置（１１０）へ輸送することができる直流昇圧回路装置（６００）、を含むこと、
を特徴とする請求項２に記載の補助電源を持つ燃焼及び緊急起動制御システム。
【請求項５】
その中のエンジン点火装置（１０９）、燃料噴射装置（１１０）、始動電池（１０４）、第一充放電可能な補助蓄電装置（１０６）、緊急起動スイッチ装置（５００）、発電機（２００）、調節装置（２０１）、直流昇圧回路装置（６００）を分離して設置するができ、またはその中の少なくとも二項目または二項目以上により同一構造とすることができること、
を特徴とする請求項４に記載の補助電源を持つ燃焼及び緊急起動制御システム。
【請求項６】
その中の第二充放電可能な補助蓄電装置（１０７）、隔離用ダイオード（１０８）、第一充放電可能な補助蓄電装置（１０６）、隔離用ダイオード（１０５）、緊急起動スイッチ装置（５００）を設置せずに、かつ直接始動電池（１０４）の電源により直流昇圧回路装置（６００）に対して給電し、
ディーゼル、バイオディーゼル、ガソリン、ガス、メタノール等を燃料とする内燃エンジンにより構成するエンジンセット（１００）、
エンジンにより負荷を駆動する回転運動エネルギーを出力し、及び伝動装置（３０１）を通して始動モータ（１０１）とカップリングし、直接または伝動装置（３０２）を通して発電機セット（２００）とカップリングするエンジン回転軸（３００）、
直流または交流のブラシまたはブラシレスモータ、またはモータ機能を持つ発電機により構成され、モータを通して継電器（１０２）の制御を起動することにより、バッテリーの電気エネルギーを制御して、始動モータ（１０１）を駆動し、直接または伝動装置（３０１）を通してエンジンセット（１００）を動かす始動モータ（１０１）、
電気機械スイッチユニットまたは固体電子スイッチユニットにより構成され、始動電池（１０４）または点火装置及び燃料噴射装置（１１０）のうち少なくとも一方を制御し、当該制御と共に又は当該制御に代えて、モータを制御して継電器（１０２）の給電を起動し、または直接始動モータ（１０１）の給電を制御し、当該制御と共に又は当該制御に代えて、その他付属電器装置により給電する起動スイッチ（１０３）、
各種の充放電可能な二次電池またはスパーキャパシタにより構成され、始動モータ（１０１）の電気エネルギーを提供し、及び発電機（２００）により発電用電気エネルギーまたは外部の電気エネルギーにより充電される始動電池（１０４）、
交流または直流発電機により構成され、エンジンにより直接または伝動装置（３０２）を通して動かし、相対する交流電気エネルギーを形成し、または整流された直流を出力し、または直接直流の電気エネルギーを形成して出力する、発電機（２００）及び調節装置（２０１）のうち少なくとも一方が直流発電機であって、かつ逆流電流の防止機能を持たないとき、発電機の発電巻線により調節装置（２０１）を通して始動電池（１０４）の充電電流の方向及び順方向にダイオード（１０５１）を一連設置することにより隔離をし、もし発電機（２００）及び調節装置（２０１）のうち少なくとも一方が逆流電流の防止機能を持っている場合、ダイオード（１０５１）を設置しなくてよい発電機（２００）、
電気機械式または固体電子回路装置により構成される、発電機（２００）が直流発電機であるとき、直接に直流電気エネルギーを調節することにより、別々に始動電池（１０４）及びその他負荷のうち少なくとも一方に対して給電し、かつ発電機（２００）が交流発電機であるとき、まず交流電気エネルギーを直流電気エネルギーに整流してから、再び調節装置（２０１）を通して、始動電池（１０４）及びその他負荷のうち少なくとも一方に対して給電する調節装置（２０１）、
電気機械回路ユニットまたは固体電子回路ユニットにより構成され、または二者の混合により構成する点火装置によって構成されることにより、内燃エンジンを点火させることより、エンジンを作動するエンジン点火装置（１０９）、
燃料噴射巾のスロットル機能を制御できる燃料噴射装置及びスロットルポジション、オイル温度、インテークエア温度、酸素含有度のクランク軸信号（ＩＰ−ＡＲＢ）等の信号を参考することを含み、燃料噴射機構装置を制御するコントロール回路装置により構成される燃料噴射装置（１１０）、
上述のエンジン点火装置（１０９）及び燃料噴射装置（１１０）の中の一つを設置し、または両者を同時に設置することができ、
固体電子回路ユニット及び電気機械式回路ユニットにより構成され、始動電池（１０４）の電源とエンジン点火装置（１０９）及び燃料噴射装置（１１０）の電源により駆動する、継電器（１０２）またはモータ通電時の信号により、直流昇圧回路装置（６００）を起動することを通して、電圧を上げ、エンジン点火装置（１０９）または燃料噴射装置（１１０）をブースター（Ｂｏｏｓｔｅｒ）状態にすることにより、エンジン始動に役立つ、本項の直流昇圧回路装置（６００）の電源入力端及び同極性の電圧が比較的高い出力端の間に、ダイオード（１０５３）を並列に接続することにより、直流昇圧回路装置（６００）が作動を停止するとき、電気エネルギーは電源端から、ダイオード（１０５３）を通して、エンジン点火装置（１０９）及び燃料噴射装置（１１０）へ輸送することができる直流昇圧回路装置（６００）、を含むこと、
を特徴とする請求項２に記載の補助電源を持つ燃焼及び緊急起動制御システム。
【請求項７】
そのエンジン点火装置（１０９）、燃料噴射装置（１１０）、始動電池（１０４）、発電機（２００）、調節装置（２０１）、直流昇圧回路装置（６００）を分離して設置するができ、またはその中の少なくとも二項目または二項目以上により同一構造とすることができること
を特徴とする請求項６に記載の補助電源を持つ燃焼及び緊急起動制御システム。
【請求項８】
一種の補助電源を持つ燃焼及び緊急起動制御システムは、人力によりエンジンを起動し、始動モータ（１０１）及び始動電池（１０４）及び隔離用ダイオード（１０５）を設置しないために、発電機（２００）の発電巻線及び調節装置（２０１）により、単独に直流昇圧回路装置（６００）に対して給電することにより、人力によりエンジンを起動するときの回転数が比較的遅く、発電機（２００）の発電電圧が比較的低いとき、直流昇圧回路装置（６００）を通して、発電機（２００）の発電用電気エネルギーを昇圧させ、かつ常態で作動するとき、エンジン点火装置（１０９）及び燃料噴射装置（１１０）のうち少なくとも一方の作動を改善するために、常態電圧に下がるよう構成されており、その常態作動の検測方法は、
１）エンジン回転数の信号の検測を参照する、
２）発電機の発電電圧を参照する、
３）設定した昇圧起動時間が経過すると常態電圧に切り替える、
ことを特徴とする補助電源を持つ燃焼及び緊急起動制御システム。
【請求項９】
その点火装置（１０９）、燃料噴射装置（１１０）、発電機（２００）、調節装置（２０１）、直流昇圧回路装置（６００）を分離して設置するができ、またはその中の少なくとも二項目または二項目以上により同一構造とすることができること
を特徴とする請求項８に記載の補助電源を持つ燃焼及び緊急起動制御システム。
【発明の詳細な説明】
【技術分野】
【０００１】
本項の補助電源を持つ燃焼及び緊急起動制御システムに関する。
【背景技術】
【０００２】
伝統的なエンジン点火または燃料噴射装置システムは、通常エンジン始動モータとバッテリー電源を共用するために、エンジンを起動するとき、始動モータの電流はより大きくなり、バッテリーの電圧が低下（通常２５〜４０％低下）することにより、点火不良または燃料噴射装置の開閉速度が遅くなり、エンジン始動がし難く、かつ始動電池の電力が不足するときは、外部電源を通さなければならないので、救済の時効が心配される上に、非常に不便である。
【先行技術文献】
【特許文献】
【０００３】
【特許文献１】特開２００９−２７５６５５号公報
【発明の概要】
【発明が解決しようとする課題】
【０００４】
始動電池の電力が不足するときは、緊急起動スイッチ装置の操作を通して、補助電池の電気エネルギーを駆動することにより、始動モータのエンジンを起動し、及び始動モータによりエンジンを起動するとき、直流昇圧回路装置６００の昇圧を通して、点火装置または燃料噴射装置させ、その起動機能を強化する。
【課題を解決するための手段】
【０００５】
本項の補助電源を持つ燃焼及び緊急起動制御システムは、専用点火装置または燃料噴射装置と緊急起動に必要な補助蓄電装置の電気エネルギーを設置し、及び隔離用ダイオードと始動モータのバッテリー電源を設置することにより隔離し、エンジンを起動するときに、始動モータはより大きな電流が必要であるために、バッテリーの電圧が大幅に下降しても、点火装置または燃料噴射装置の電圧が突然に低下することを防ぐことにより、良好な点火状態を確保し、また始動電池の電力が不足するときは、補助スイッチ装置の操作を通して、補助蓄電装置の電気エネルギーにより、始動モータを駆動してからエンジンを起動し、システムにまた緊急起動スイッチ装置５００及び直流昇圧回路装置６００のうち少なくとも一方を設置することにより、始動電池の電力が不足するときは、緊急起動スイッチ装置の操作を通して、補助電池の電気エネルギーを駆動することにより、始動モータのエンジンを起動し、及び始動モータによりエンジンを起動するとき、直流昇圧回路装置６００の昇圧を通して、点火装置または燃料噴射装置を昇圧させ、その起動機能を強化する。
このほかに始動モータ及び始動電池を設置していない人力始動用エンジンへ応用するとき、エンジン回転数が低い起動段階または発電機の電圧が不足するときは、直流昇圧回路装置６００を設置することにより、点火装置または燃料噴射装置に正常動作電圧を提供し、良好な点火状態を確保する。
【図面の簡単な説明】
【０００６】
【図１】実施例の補助電源を持つ燃焼及び緊急起動制御システムの回路ブロック説明図を示す。
【図２】図１実施例のバッテリー電圧とモータ起動時の電圧変化説明図を示す。
【図３】図１実施例に、補助電源の電気エネルギーによりエンジンを起動する回路説明図を示す。
【図４】図１実施例に第二の充放電可能な補助蓄電装置及び隔離用ダイオードを省略する回路ブロック説明図を示す。
【図５】図４実施例のバッテリー電圧とモータ起動時の電圧変化説明図を示す。
【図６】図４実施例に、補助電源の電気エネルギーによりエンジンを起動する回路説明図を示す。
【図７】本発明のシステムに直流昇圧回路装置を設置する回路説明図を示す。
【図８】図７実施例のバッテリー電圧とモータ起動時の電圧変化説明図を示す。
【図９】本発明を人力始動用エンジンへ応用し、また直流昇圧回路装置を設置する回路説明図を示す。
【図１０】図９実施例の直流昇圧回路装置の出力電圧変化説明図を示す。
【発明を実施するための形態】
【０００７】
本項の補助電源を持つ燃焼及び緊急起動制御システムは、専用点火装置または燃料噴射装置と緊急起動に必要な補助蓄電装置の電気エネルギーを設置し、及び隔離用ダイオードと始動モータのバッテリー電源を設置することにより隔離し、エンジンを起動するときに、始動モータはより大きな電流が必要であるために、バッテリーの電圧が大幅に下降しても、点火装置または燃料噴射装置の電圧が突然に低下することにより、正常な起動が妨害されることを避け、システムにまた緊急起動スイッチ装置５００及び直流昇圧回路装置６００のうち少なくとも一方を設置することにより、始動電池の電力が不足するときは、緊急起動スイッチ装置の操作を通して、補助蓄電装置の電気エネルギーを駆動することにより、始動モータのエンジンを起動し、及び始動モータによりエンジンを起動するとき、直流昇圧回路装置６００の昇圧を通して、点火装置または燃料噴射装置を昇圧させ、その起動機能を強化する。
【０００８】
このほかに始動モータ及び始動電池を設置していない人力始動用エンジンへ応用するとき、エンジン回転数が低い起動段階または発電機の電圧が不足するときは、直流昇圧回路装置６００を設置することにより、点火装置または燃料噴射装置に正常動作電圧を提供し、良好な点火状態を確保する。
【０００９】
図１に示す本実施例の補助電源を持つ燃焼及び緊急起動制御システムの回路ブロック説明図は、専用のエンジン点火装置及び燃料噴射装置のうち少なくとも一方と緊急起動に必要な補助蓄電装置の電気エネルギーを設置し、隔離用ダイオードと始動モータのバッテリー電源を設置することにより隔離し、緊急起動スイッチ装置５００及び直流昇圧回路装置６００のうち少なくとも一方を設置する、その主な構成は下記を含む：
【００１０】
エンジンセット１００：ディーゼル、バイオディーゼル、ガソリン、ガス、メタノール等を燃料とする内燃エンジンにより構成し、また始動モータ１０１を装着している。
【００１１】
エンジン回転軸３００：エンジンにより負荷を駆動する回転運動エネルギーを出力し、及び伝動装置３０１を通して始動モータ１０１とカップリングし、直接または伝動装置３０２を通して発電機セット２００とカップリングする。
【００１２】
始動モータ１０１：直流または交流のブラシまたはブラシレスモータ、またはモータ機能を持つ発電機により構成され、モータを通して継電器１０２の制御を起動することにより、バッテリーの電気エネルギーを制御して、始動モータ１０１を駆動し、直接または伝動装置３０１を通してエンジンセット１００を動かす。
【００１３】
起動スイッチ１０３：電気機械スイッチユニットまたは固体電子スイッチユニットにより構成され、始動電池１０４が点火装置及び燃料噴射装置１１０の少なくとも一方を制御し、当該制御と共に又は当該制御に代え、モータを制御して継電器１０２の給電を起動し、または直接始動モータ１０１の給電を制御し、当該制御と共に又は当該制御に代え、その他付属電器装置により給電する。
【００１４】
始動電池１０４：各種の充放電可能な二次電池またはスパーキャパシタにより構成され、始動モータ１０１の電気エネルギーを提供し、及び発電機２００により発電用電気エネルギーまたは外部の電気エネルギーにより充電される。
【００１５】
隔離用ダイオード１０５：ダイオードにより構成され、始動電池１０４と第一充放電可能な補助蓄電装置１０６の間に設置され、単方向導通を呈し、始動電池１０４の電流が第一充放電可能な補助蓄電装置１０６に対して充電し、また隔離用ダイオード１０５を通して、始動電池１０４の逆流放電を防ぐ。
【００１６】
第一充放電可能な補助蓄電装置１０６：各種の充放電可能な電池またはスパーキャパシタにより構成され、始動電池１０４または付属発電機２００またはその他充電装置の電気エネルギーを貯蔵する。
【００１７】
第二充放電可能な補助蓄電装置１０７：充放電可能な二次電池またはスパーキャパシタにより構成され、第一充放電可能な補助蓄電装置１０６の電気エネルギーを貯蔵し、エンジンが点火するとき、即時にエンジン点火装置１０９に対して電気エネルギーを提供する。
【００１８】
隔離用ダイオード１０８：第一充放電可能な補助蓄電装置１０６と第二充放電可能な補助蓄電装置１０７の間に、第一充放電可能な補助蓄電装置１０６が第二充放電可能な補助蓄電装置１０７の電流方向に対して隔離用ダイオード１０８を直列に接続することにより、緊急時、緊急起動スイッチ装置５００を制御し、かつ第一充放電可能な補助蓄電装置１０６を緊急始動モータの電源とするとき、第二充放電可能な補助蓄電装置１０７が第一充放電可能な補助蓄電装置１０６に対して逆流放電を避ける。
【００１９】
発電機２００：交流または直流発電機により構成され、エンジンにより直接または伝動装置３０２を通して動かし、相対する交流電気エネルギーを形成し、または整流された直流を出力し、または直接直流の電気エネルギーを形成して出力する、発電機２００及び調節装置２０１のうち少なくとも一方が直流発電機であって、かつ逆流電流の防止機能を持たないとき、発電機の発電巻線により調節装置２０１を通して始動電池１０４の充電電流の方向及び順方向にダイオード１０５１を一連設置することにより隔離し、もし発電機２００が逆流電流の防止機能を持っている場合、ダイオード１０５１を設置しなくてよい。
【００２０】
調節装置２０１：電気機械式または固体電子回路装置により構成される、発電機２００が直流発電機であるとき、直接に直流電気エネルギーを調節することにより、別々に始動電池１０４、第一充放電可能な補助蓄電装置１０６及び第二充放電可能な補助蓄電装置１０７のうち少なくとも一つに対して充電し、当該充電と共に又は当該充電に代え、その他負荷に対して給電し、かつ発電機２００が交流発電機であるとき、まず交流電気エネルギーを直流電気エネルギーに整流してから、再び調節装置２０１を通して、始動電池１０４、第一充放電可能な補助蓄電装置１０６及び第二充放電可能な補助蓄電装置１０７のうち少なくとも一つに対して充電し、当該充電と共に又は当該充電に代えて、その他負荷に対して給電する。
【００２１】
エンジン点火装置１０９：電気機械回路ユニットまたは固体電子回路ユニットにより構成され、または二者の混合により構成する点火装置によって構成されることにより、内燃エンジンを点火させることより、エンジンを作動する。
【００２２】
燃料噴射装置１１０：燃料噴射巾のスロットル機能を制御できる燃料噴射装置及びスロットルポジション、オイル温度、インテークエア温度、酸素含有度のクランク軸信号（ＩＰ−ＡＲＢ）等の信号を参考することを含み、燃料噴射機構装置を制御するコントロール回路装置により構成される。
【００２３】
上述のエンジン点火装置１０９及び燃料噴射装置１１０の中の一つを設置し、または両者を同時に設置することができる。
【００２４】
及び緊急起動スイッチ装置５００及び直流昇圧回路装置６００の両者またはその中の一つを設置し、それは下記を含む：
【００２５】
緊急起動スイッチ装置５００：三端子固体電子スイッチ装置または機械スイッチ装置により構成され、その共同Ｃ端はモータへ通じ、継電器１０２及びスイッチ１０３の電源正端を起動し、その常に閉合するＡ端は始動電池１０４の正端へ通じ、常に開放し、緊急起動時、閉合するＢ端は第一充放電可能な補助蓄電装置１０６の正端へ通じるように切換え、また始動電池の電力が不足するときは、補助スイッチ装置の操作を通して、補助電池の電気エネルギーにより、始動モータを駆動してからエンジンを起動する。
【００２６】
直流昇圧回路装置６００：固体電子回路ユニット及び電気機械式回路ユニットにより構成され、第二充放電可能な補助蓄電装置１０７の電源とエンジン点火装置１０９及び燃料噴射装置１１０の電源の間に設置することにより、継電器１０２またはモータ通電時の信号により、直流昇圧回路装置６００を起動することを通して、電圧を上げ、エンジン点火装置１０９または燃料噴射装置１１０をブースター（Ｂｏｏｓｔｅｒ）状態にすることにより、エンジン始動に役立つ。本項の直流昇圧回路装置６００の電源入力端及び同極性の電圧が比較的高い出力端の間に、ダイオード１０５３を並列に接続することにより、直流昇圧回路装置６００が作動を停止するとき、電気エネルギーは電源端から、ダイオード１０５３を通して、エンジン点火装置１０９及び燃料噴射装置１１０へ輸送することができる。
【００２７】
本項の補助電源を持つ燃焼及び緊急起動制御システムを応用するとき、第一充放電可能な補助蓄電装置１０６はエネルギー密度（ＥＮＥＲＧＹ  ＤＥＮＳＩＴＹ）が比較的高いユニットを選択することができ、かつ第二充放電可能な補助蓄電装置１０７は比較的高いパーワ密度（ＰＯＷＥＲ  ＤＥＮＳＩＴＹ)を選択することにより、点火性能及びより経済的なコストに合わせることができる。
【００２８】
上述の図１に述べたエンジン点火装置１０９、燃料噴射装置１１０、始動電池１０４、隔離用ダイオード１０５、第一充放電可能な補助蓄電装置１０６、隔離用ダイオード１０８、第二充放電可能な補助蓄電装置１０７、緊急起動スイッチ装置５００、発電機２００、調節装置２０１、直流昇圧回路装置６００を分離して設置するができ、またはその中の少なくとも二項目または二項目以上により同一構造とすることができる。
【００２９】
図２に図１実施例のバッテリー電圧とモータ起動時の電圧変化説明図を示す。図２に示す電圧Ｖ１０６は第一充放電可能な補助蓄電装置１０６の端電圧、電圧Ｖ１０７は第二充放電可能な補助蓄電装置１０７の端電圧、Ｖ１０４は始動電池１０４の端電圧、Ｖ６００は直流昇圧回路装置６００の出力電圧である。
【００３０】
図３に図１実施例を補助電源の電気エネルギーによりエンジンを起動する回路説明図を示す。
【００３１】
このほかに、本項の補助電源を持つ燃焼及び緊急起動制御システムは、更に一歩を進んで、図４に示すように、図１実施例に第二充放電可能な補助蓄電装置及び隔離用ダイオード１０８を省略する回路ブロック説明図である。図１の第二充放電可能な補助蓄電装置１０７及び隔離用ダイオード１０８を設置せずに、かつ始動電池１０４と第一充放電可能な補助蓄電装置１０６の間に順方向に隔離用ダイオード１０５を一連設置し、かつ単方向導通により、始動電池１０４が第一充放電可能な補助蓄電装置１０６の充電電気エネルギーを限制し、また第一充放電可能な補助蓄電装置１０６によりエンジン点火装置１０９または燃料噴射装置１１０に必要な電気エネルギーを提供し、また始動電池１０４の電力が不足するときは、緊急起動スイッチ装置５００の操作を通して、第一充放電可能な補助蓄電装置１０６の電気エネルギーにより始動モータを駆動してエンジンを起動する、
【００３２】
及び緊急起動スイッチ装置５００及び直流昇圧回路装置６００の両者またはその中の一つを設置し、それは下記を含む：
【００３３】
緊急起動スイッチ装置５００：三端子固体電子スイッチ装置または機械スイッチ装置により構成され、その共同Ｃ端はモータへ通じ、継電器１０２及びスイッチ１０３の電源正端を起動し、その常に閉合するＡ端は始動電池１０４の正端へ通じ、常に開放し、緊急起動時、閉合するＢ端は第一充放電可能な補助蓄電装置１０６の正端へ通じるように切換え、また始動電池の電力が不足するときは、補助スイッチ装置の操作を通して、補助電池の電気エネルギーにより、始動モータを駆動してからエンジンを起動する。
【００３４】
直流昇圧回路装置６００：固体電子回路ユニット及び電気機械式回路ユニットにより構成され、第二充放電可能な補助蓄電装置１０７電源の正端とエンジン点火装置１０９及び燃料噴射装置１１０の電源の間に設置することにより、継電器１０２またはモータ通電時の信号により、直流昇圧回路装置６００を起動することを通して、電圧を上げ、エンジン点火装置１０９または燃料噴射装置１１０をブースター（Ｂｏｏｓｔｅｒ）状態にすることにより、エンジン始動に役立つ。本項の直流昇圧回路装置６００の電源入力端及び同極性の電圧が比較的高い出力端の間に、ダイオード１０５３を並列に接続することにより、直流昇圧回路装置６００が作動しないとき、電気エネルギーは電源端から、ダイオード１０５３を通して、エンジン点火装置１０９及び燃料噴射装置１１０へ輸送することができる。
【００３５】
図５に図４実施例のバッテリー電圧とモータ起動時の電圧変化説明図を示す。図５に示す電圧Ｖ１０６は第一充放電可能な補助蓄電装置１０６の端電圧、Ｖ１０４は始動電池１０４の端電圧、Ｖ６００は直流昇圧回路装置６００の出力電圧である。
【００３６】
図６に図４実施例に補助電源の電気エネルギーによりエンジンを起動する回路説明図を示す。
【００３７】
上述の図４に示すエンジン点火装置１０９、燃料噴射装置１１０、始動電池１０４、第一充放電可能な補助蓄電装置１０６、緊急起動スイッチ装置５００、発電機２００、調節装置２０１、直流昇圧回路装置６００を分離して設置するができ、またはその中の少なくとも二項目または二項目以上により同一構造とすることができる。
【００３８】
図７に本発明に直流昇圧回路装置を設置する回路説明図を示す。
【００３９】
図８に図７実施例のバッテリー電圧とモータ起動時の電圧変化説明図を示す。
【００４０】
図７に示すように、図１実施例の第二充放電可能な補助蓄電装置１０７、隔離用ダイオード１０８、第一充放電可能な補助蓄電装置１０６、隔離用ダイオード１０５、緊急起動スイッチ装置５００を設置せずに、かつ直接始動電池１０４の電源により直流昇圧回路装置６００に対して給電し、その主な構成は下記を含む：
【００４１】
エンジンセット１００：ディーゼル、バイオディーゼル、ガソリン、ガス、メタノール等を燃料とする内燃エンジンにより構成する。
【００４２】
エンジン回転軸３００：エンジンにより負荷を駆動する回転運動エネルギーを出力し、及び伝動装置３０１を通して始動モータ１０１とカップリングし、直接または伝動装置３０２を通して発電機セット２００とカップリングする。
【００４３】
始動モータ１０１：直流または交流のブラシまたはブラシレスモータ、またはモータ機能を持つ発電機により構成され、モータを通して継電器１０２の制御を起動することにより、バッテリーの電気エネルギーを制御して、始動モータ１０１を駆動し、直接または伝動装置３０１を通してエンジンセット１００を動かす。
【００４４】
起動スイッチ１０３：電気機械スイッチユニットまたは固体電子スイッチユニットにより構成され、始動電池１０４が点火装置または点火装置及び燃料噴射装置１１０のうち少なくとも一方を制御し、当該制御と共に又は当該制御に代え、モータを制御して継電器１０２の給電を起動し、または直接始動モータ１０１の給電を制御し、当該制御と共に又は当該制御に代え、その他付属電器装置により給電する。
【００４５】
始動電池１０４：各種の充放電可能な二次電池またはスパーキャパシタにより構成され、始動モータ１０１の電気エネルギーを提供し、及び発電機２００により発電用電気エネルギーまたは外部の電気エネルギーにより充電される。
【００４６】
発電機２００：交流または直流発電機により構成され、エンジンにより直接または伝動装置３０２を通して動かし、相対する交流電気エネルギーを形成し、または整流された直流を出力し、または直接直流の電気エネルギーを形成して出力する、発電機２００及び調節装置２０１のうち少なくとも一方が直流発電機であって、かつ逆流電流の防止機能を持たないとき、発電機の発電巻線により調節装置２０１を通して始動電池１０４の充電電流の方向及び順方向にダイオード１０５１を一連設置することにより隔離し、もし発電機２００及び調節装置２０１のうち少なくとも一方が逆流電流の防止機能を持っている場合、ダイオード１０５１を設置しなくてよい。
【００４７】
調節装置２０１：電気機械式または固体電子回路装置により構成される、発電機２００が直流発電機であるとき、直接に直流電気エネルギーを調節することにより、別々に始動電池１０４及びその他負荷の少なくとも一方に対して給電し、かつ発電機２００が交流発電機であるとき、まず交流電気エネルギーを直流電気エネルギーに整流してから、再び調節装置２０１を通して、始動電池１０４及びその他負荷の少なくとも一方に対して給電する。
【００４８】
エンジン点火装置１０９：電気機械回路ユニットまたは固体電子回路ユニットにより構成され、または二者の混合により構成する点火装置によって構成されることにより、内燃エンジンを点火させることより、エンジンを作動する。
【００４９】
燃料噴射装置１１０：燃料噴射巾のスロットル機能を制御できる燃料噴射装置及びスロットルポジション、オイル温度、インテークエア温度、酸素含有度のクランク軸信号（ＩＰ−ＡＲＢ）等の信号を参考することを含み、燃料噴射機構装置を制御するコントロール回路装置により構成される。
【００５０】
上述のエンジン点火装置１０９及び燃料噴射装置１１０の中の一つを設置し、または両者を同時に設置することができる。
【００５１】
直流昇圧回路装置６００：固体電子回路ユニット及び電気機械式回路ユニットにより構成され、始動電池１０４の電源とエンジン点火装置１０９及び燃料噴射装置１１０の電源により駆動する、継電器１０２またはモータ通電時の信号により、直流昇圧回路装置６００を起動することを通して、電圧を上げ、エンジン点火装置１０９または燃料噴射装置１１０をブースター（Ｂｏｏｓｔｅｒ）状態にすることにより、エンジン始動に役立つ。本項の直流昇圧回路装置６００の電源入力端及び同極性の電圧が比較的高い出力端の間に、ダイオード１０５３を並列に接続することにより、直流昇圧回路装置６００が作動を停止するとき、電気エネルギーは電源端から、ダイオード１０５３を通して、エンジン点火装置１０９及び燃料噴射装置１１０へ輸送することができる。
【００５２】
図８に図７実施例のバッテリー電圧とモータ起動時の電圧変化説明図を示す。図８に示す電圧Ｖ１０６は第一充放電可能な補助蓄電装置１０６の端電圧、Ｖ６００は直流昇圧回路装置６００の出力電圧である。
【００５３】
上述の図７に示すエンジン点火装置１０９、燃料噴射装置１１０、始動電池１０４、発電機２００、調節装置２０１、直流昇圧回路装置６００を分離して設置するができ、またはその中の少なくとも二項目または二項目以上により同一構造とすることができる。
【００５４】
図９に示す実施例は、もし人力によりエンジンを起動し、始動モータ１０１及び始動電池１０４及び隔離用ダイオード１０５を設置しないために、発電機２００の発電巻線及び調節装置２０１により、単独に直流昇圧回路装置６００に対して給電することにより、人力によりエンジンを起動するときの回転数が比較的遅く、発電機２００の発電電圧が比較的低いとき、直流昇圧回路装置６００を通して、発電機２００の発電用電気エネルギーを昇圧させ、かつ常態で作動するとき、エンジン点火装置１０９及び燃料噴射装置１１０のうち少なくとも一方の作動を改善するために、常態電圧に下がる。その常態作動の検測方法は下記を含む：
１）  エンジン回転数の信号の検測を参照する、
２）  発電機の発電電圧を参照する、
３）  設定した昇圧起動時間が経過すると常態電圧に切り替える。
【００５５】
図９に本発明を人力によりエンジンを起動し、また直流昇圧回路装置の設置へ応用するときの回路説明図を示す。
【００５６】
図１０に図９実施例の直流昇圧回路装置の出力電圧変化説明図を示す。
【００５７】
上述の図９に示す点火装置１０９、燃料噴射装置１１０、発電機２００、調節装置２０１、直流昇圧回路装置６００を分離して設置するができ、またはその中の少なくとも二項目または二項目以上により同一構造とすることができる。
【符号の説明】
【００５８】
１００：エンジンセット、１０１：始動モータ、１０２：継電器、
１０３：起動スイッチ、１０４：始動電池、１０５：隔離用ダイオード、
１０６：第一の充放電可能な補助蓄電装置、１０７：第二の充放電可能な補助蓄電装置、
１０８：隔離用ダイオード、１０９：エンジン点火装置、１１０：燃料噴射装置、
２００：発電機、２０１：調節装置、３００：エンジン回転軸
３０１：伝動装置、３０２：伝動装置、５００：緊急起動スイッチ装置、
６００：直流昇圧回路装置、１０５１：ダイオード、１０５３：ダイオード
【図１】
2011017337.tif 000003
【図２】
2011017337.tif 000004
【図３】
2011017337.tif 000005
【図４】
2011017337.tif 000006
【図５】
2011017337.tif 000007
【図６】
2011017337.tif 000008
【図７】
2011017337.tif 000009
【図８】
2011017337.tif 000010
【図９】
2011017337.tif 000011
【図１０】
2011017337.tif 000012
【外国語明細書】
2011017337.tif 000013
2011017337.tif 000014
2011017337.tif 000015
2011017337.tif 000016
2011017337.tif 000017
2011017337.tif 000018
2011017337.tif 000019
2011017337.tif 000020
2011017337.tif 000021
2011017337.tif 000022
2011017337.tif 000023
2011017337.tif 000024
2011017337.tif 000025
2011017337.tif 000026
2011017337.tif 000027
2011017337.tif 000028
2011017337.tif 000029
2011017337.tif 000030
2011017337.tif 000031
2011017337.tif 000032
2011017337.tif 000033
2011017337.tif 000034
2011017337.tif 000035
2011017337.tif 000036
2011017337.tif 000037
2011017337.tif 000038
2011017337.tif 000039
2011017337.tif 000040
2011017337.tif 000041
2011017337.tif 000042
2011017337.tif 000043
2011017337.tif 000044